(57)【要約】【課題】    本発明は、使い勝手が良好な名刺を得ることができるはがきを提供することを目的としている。【解決手段】    はがきＡは、はがき用紙１と、このはがき用紙１の裏面全体に亙って塗布された再剥離性粘着剤２と、この再剥離性粘着剤２を介してはがき用紙１の裏面全体に亙って貼り付けられた裏面側用紙３と、この裏面側用紙３は裏面側用紙本体31と、名刺32とを有し、この名刺32は裏面側用紙本体31と分離している。【選択図】図２
2005205728.tif 000002
【特許請求の範囲】
【請求項１】
はがき用紙と、
このはがき用紙の裏面全体に亙って塗布された再剥離性粘着剤と、
この再剥離性粘着剤を介して前記はがき用紙の裏面全体に亙って貼り付けられた裏面側用紙と、
この裏面側用紙は裏面側用紙本体と、名刺とを有し、
この名刺は前記裏面側用紙本体と分離している
ことを特徴とするはがき。
【請求項２】
はがき用紙と、
このはがき用紙の大きさに対応した裏面側用紙と、
この裏面側用紙の前記はがき用紙に面する側の全体に亙って塗布された再剥離性粘着剤と、
前記裏面側用紙は、前記再剥離性粘着剤を介して前記はがき用紙に貼り付けられ、
前記はがき用紙ははがき用紙本体と、名刺とを有し、
この名刺は前記はがき用紙本体と分離している
ことを特徴とするはがき。
【発明の詳細な説明】
【技術分野】
【０００１】
本発明は、はがきに係り、特に、使い勝手が良好な名刺を得ることができるはがきに関する。
【背景技術】
【０００２】
はがきに名刺を一体化した「情報カ−ド付きはがき」がある（例えば、特許文献１参照）。
【特許文献１】実用新案登録第３０７８３４６号公報
【発明の開示】
【発明が解決しようとする課題】
【０００３】
しかしながら、上述した「情報カ−ド付きはがき」にあっては、情報カ−ドとはがきとは、疑似接着（一度剥離すると再度接着が容易でない接着）であるため、情報カ−ドの裏面側は、コ−ティング加工が必要で、コ−ティング加工を施さない普通紙は使用できず制約を受け、使い勝手が良好でないという問題点があった。
本発明は、上述した問題点を除去するように、使い勝手が良好な名刺を得ることができるはがきを提供するものである。
【課題を解決するための手段】
【０００４】
上記目的を達成するために、請求項１記載のはがきは、はがき用紙と、このはがき用紙の裏面全体に亙って塗布された再剥離性粘着剤と、この再剥離性粘着剤を介して前記はがき用紙の裏面全体に亙って貼り付けられた裏面側用紙と、この裏面側用紙は裏面側用紙本体と、名刺とを有し、この名刺は前記裏面側用紙本体と分離しているものである。
【０００５】
また、請求項２記載のはがきは、はがき用紙と、このはがき用紙の大きさに対応した裏面側用紙と、この裏面側用紙の前記はがき用紙に面する側の全体に亙って塗布された再剥離性粘着剤と、前記裏面側用紙は、前記再剥離性粘着剤を介して前記はがき用紙に貼り付けられ、前記はがき用紙ははがき用紙本体と、名刺とを有し、この名刺は前記はがき用紙本体と分離しているものである。
【発明の効果】
【０００６】
請求項１記載のはがきによれば、名刺に記載されている事項を見ることにより、はがきの差し出し人を確認でき、その後、はがきより名刺を分離して使用でき、しかも、はがきより名刺を分離しても、名刺の裏面には再剥離性粘着剤が残らないため、コ−ティング加工されていない普通紙を使うことができ、一般の名刺と何ら変わらない質感を確保することができ、使い勝手が良好な名刺を得ることができる。
【０００７】
また、請求項２記載のはがきによれば、名刺に記載されている事項を見ることにより、はがきの差し出し人を確認でき、その後、はがきより名刺を分離して使用でき、しかも、はがきより名刺を分離しても、名刺の裏面には再剥離性粘着剤が残らないため、コ−ティング加工されていない普通紙を使うことができ、一般の名刺と何ら変わらない質感を確保することができ、使い勝手が良好な名刺を得ることができる。
【実施例】
【０００８】
本発明の一実施例のはがきを図面を参照して説明する。
図１乃至図３において、Ａははがきで、はがきＡは、はがき用紙１と、このはがき用紙１の裏面全体に亙って塗布された再剥離性粘着剤２と、この再剥離性粘着剤２を介してはがき用紙１の裏面全体に亙って貼り付けられた裏面側用紙３とを有している。
【０００９】
再剥離性粘着剤２は、被着体（本実施例では、裏面側用紙３）に粘着と剥離を繰り返した場合において、被着体に粘着性微小粒子が残留しないもので、例えば、アクリル系ポリマー（アクリル系ポリマーとしては、例えば、アクリル系エマルジョン型粘着剤、アクリル系溶剤型粘着剤）、ウレタン系粘着剤等である。
【００１０】
裏面側用紙３は裏面側用紙本体31と氏名、住所、職業等を印刷した名刺32とを有し、この名刺32は裏面側用紙本体31と分離している。分離は、例えば、はがき用紙１に再剥離性粘着剤２を介して裏面側用紙３を貼り付けられた後、印刷が施された裏面側用紙３にハ−フカットを入れて行う、つまり、名刺32は、はがき用紙１に再剥離粘着剤２を残して打ち抜かれ、裏面側用紙本体31と分離している。
【００１１】
従って、このはがきＡによれば、はがき用紙Ａに塗布された再剥離粘着剤２に名刺32を貼り付けているため、名刺32に記載されている住所、名称、氏名等の事項を見ることにより、はがきＡの差し出し人を確認でき、その後、はがきＡより名刺32を分離して使用でき、しかも、はがきＡより名刺32を分離しても、名刺32の裏面には再剥離粘着剤２が残らないため、一般的な普通紙（コ−ティング不要の普通紙）を使用することができ、使い勝手が良好な名刺32を得ることができる。
【００１２】
上述した図１乃至３記載の実施例においては、名刺32をはがき用紙１の裏面側に設けたが、名刺をはがき用紙１の表面側に設けても良い。
即ち、図４及び５において、Ａははがきで、はがきＡは、はがき用紙１と、このはがき用紙Ａの大きさに対応した、つまり、はがき用紙１と同じ大きさの裏面側用紙３と、この裏面側用紙３のはがき用紙１に面する側の全体に亙って塗布された再剥離性粘着剤２とを有している。裏面側用紙３は再剥離性粘着剤２を介してはがき用紙１に貼り付けられている。
【００１３】
はがき用紙１は、はがき用紙本体11と氏名、住所、職業等を印刷した名刺12とを有し、この名刺12ははがき用紙本体11と分離している。分離は、例えば、裏面側用紙３に再剥離性粘着剤２を介してはがき用紙１を貼り付けられた後、はがき用紙１にハ−フカットを入れて行う、つまり、名刺12は、裏面側用紙３に再剥離粘着剤２を残して打ち抜かれ、はがき用紙本体11と分離している。
【００１４】
従って、このはがきＡによれば、裏面側用紙３に塗布された再剥離粘着剤２に名刺12を貼り付けているため、図１乃至３記載のはがきＡと同様、名刺12に記載されている住所、名称、氏名等の事項を見ることにより、はがきＡの差し出し人を確認でき、その後、はがきＡより名刺12を分離して使用でき、しかも、はがきＡより名刺12を分離しても、名刺12の裏面には再剥離粘着剤２が残らないため、一般的な普通紙（コ−ティング不要の普通紙）を使用することができ、使い勝手が良好な名刺12を得ることができる。
【図面の簡単な説明】
【００１５】
【図１】図１は、本発明の一実施例のはがきを裏面側から見た概略的図である。
【図２】図２（ａ）は、名刺をはがきから分離する状態の概略的斜視図で、図２（ｂ）は、名刺をはがきから分離した状態の概略的斜視図である。
【図３】図３（ａ）は、図１のＸ−Ｘ線の概略的断面図で、図３（ｂ）は、名刺をはがきから分離する状態の概略的断面図である。
【図４】図４は、本発明の他の実施例のはがきを表面側から見た概略的図である。
【図５】図５（ａ）は、図４のＹ−Ｙ線の概略的断面図で、図５（ｂ）は、名刺をはがきから分離する状態の概略的断面図である。
【符号の説明】
【００１６】
Ａ  ・・・・・はがき
１  ・・・・・はがき用紙
２  ・・・・・再剥離性粘着剤
３  ・・・・・裏面側用紙
31  ・・・・・裏面側用紙本体
32  ・・・・・名刺
【図１】
2005205728.tif 000003
【図２】
2005205728.tif 000004
【図３】
2005205728.tif 000005
【図４】
2005205728.tif 000006
【図５】
2005205728.tif 000007